(57)【要約】【課題】同一の容器本体内における複数種の気化薬剤の組合わせの自由度を高めて、一種類の気化薬剤では発揮し得ない優れた効能のバリエーションを容易に増やす。【解決手段】通気孔１１ｅを有する容器本体１１の内部に、第１気化薬剤を表面から揮発または昇華可能に構成された収納容器が収納され、この収納容器にその開口部１２ａを覆うように微多孔性シール１４が設けられるとともに、この微多孔性シール１４の表面にその全域を覆うように帯状の密封シール１５が取り外し可能に貼着され、収納容器内に第２気化薬剤１３が充填されている。【選択図】図１
2008030846.tif 000002
【特許請求の範囲】
【請求項１】
通気孔を有する容器本体の内部に、第１気化薬剤を表面から揮発または昇華可能に構成された収納容器が収納され、この収納容器にその開口部を覆うように微多孔性シールが設けられるとともに、この微多孔性シールの表面にその全域を覆うように帯状の密封シールが取り外し可能に貼着され、前記収納容器内に第２気化薬剤が充填されていることを特徴とする容器。
【請求項２】
請求項１記載の容器であって、
前記密封シールは、その一端部側が前記微多孔性シールの表面に貼着された状態で、他端部側が前記一端部側に向けて折返されて、この他端部が前記容器本体の外部に突出していることを特徴とする容器。
【請求項３】
請求項１または２に記載の容器であって、
前記収納容器は、実質的に気化薬剤を含有しない材料で形成された収納体と、前記第１気化薬剤を含有する材料からなる外装体とを備え、前記収納体に前記第２気化薬剤が充填されるとともに、前記外装体はこの収納体をその外面側から囲繞していることを特徴とする容器。
【請求項４】
請求項１または２に記載の容器であって、
前記収納容器は、前記第１気化薬剤を含有する層を少なくとも１層備えた多層構造とされていることを特徴とする容器。
【発明の詳細な説明】
【技術分野】
【０００１】
本発明は、容器本体内に複数種の気化薬剤が収納された容器に関するものである。
【背景技術】
【０００２】
例えば防虫剤、消臭剤、芳香剤および抗菌剤等の気化薬剤を収納する容器として、例えば下記特許文献１に示されるように種々提案されている。
そして、従来から、同一の容器本体内に、互いに異なる効能を有する複数種の気化薬剤を収納して、使用時において一種類の気化薬剤では発揮し得ない優れた効能を発揮させることが試みられている。
【特許文献１】特開２００１−１９７９９９号公報
【発明の開示】
【発明が解決しようとする課題】
【０００３】
ところで近年では、同一の容器本体内において複数種の気化薬剤の組合わせの自由度を高めて、一種類の気化薬剤では発揮し得ない優れた効能のバリエーションを容易に増やすことができる容器が要望されている。
【０００４】
本発明は、このような事情を考慮してなされたもので、同一の容器本体内における複数種の気化薬剤の組合わせの自由度を高めて、一種類の気化薬剤では発揮し得ない優れた効能のバリエーションを容易に増やすことができる容器を提供することを目的とする。
【課題を解決するための手段】
【０００５】
上記課題を解決して、このような目的を達成するために、本発明の容器は、通気孔を有する容器本体の内部に、第１気化薬剤を表面から揮発または昇華可能に構成された収納容器が収納され、この収納容器にその開口部を覆うように微多孔性シールが設けられるとともに、この微多孔性シールの表面にその全域を覆うように帯状の密封シールが取り外し可能に貼着され、前記収納容器内に第２気化薬剤が充填されていることを特徴とする。
この発明では、容器本体内に前記収納容器が収納されているので、前記第１気化薬剤の種類、および収納容器内に充填する第２気化薬剤の種類の少なくとも一方を異ならせることにより、この容器本体内に収納する複数種の気化薬剤の組合わせを異ならせることが可能になる。したがって、同一の容器本体内における複数種の気化薬剤の組合わせの自由度を高めて、一種類の気化薬剤では発揮し得ない優れた効能のバリエーションを容易に増やすことができる。
【０００６】
ここで、前記密封シールは、その一端部側が前記微多孔性シールの表面に貼着された状態で、他端部側が前記一端部側に向けて折返されて、この他端部が前記容器本体の外部に突出してもよい。
この場合、収納容器内の第２気化薬剤を気化させ始めるのに、前記密封シールの他端部を容器本体の外部に向けて引張することにより、微多孔性シールの表面から前記一端部側を剥がしながら、この密封シールを容器本体から引き出して取り外すことが可能になる。すなわち、容器本体を開けないで閉じた状態で、密封シールを微多孔性シールの表面から剥がして、収納容器内の第２気化薬剤を気化させ始めることが可能になり、この容器の取り扱い性を向上させることができる。
【０００７】
また、前記収納容器は、実質的に気化薬剤を含有しない材料で形成された収納体と、前記第１気化薬剤を含有する材料からなる外装体とを備え、前記収納体に前記第２気化薬剤が充填されるとともに、前記外装体はこの収納体をその外面側から囲繞してもよい。
この場合、収納容器の外面を構成する前記外装体から第１気化薬剤が揮発または昇華することになる。
【０００８】
これに代えて、前記収納容器は、前記第１気化薬剤を含有する層を少なくとも１層備えた多層構造とされてもよい。
この場合、前記組合わせの自由度を一層高めることが可能になるばかりでなく、この容器全体のコンパクト化も図ることができる。
【発明の効果】
【０００９】
この発明に係る容器によれば、同一の容器本体内における複数種の気化薬剤の組合わせの自由度を高めて、一種類の気化薬剤では発揮し得ない優れた効能のバリエーションを容易に増やすことができる。
【発明を実施するための最良の形態】
【００１０】
以下、図面を参照し、この発明の実施の形態について説明する。この実施形態に係る容器１０は、図１に示されるように、多数の通気孔１１ｅを有する容器本体１１の内部に、第１気化薬剤を表面から揮発または昇華可能に構成された収納容器が収納され、この収納容器内に第２気化薬剤１３が充填されている。
本実施形態では、収納容器は、実質的に気化薬剤を含有しない材料で形成された収納体１２と、前記第１気化薬剤を含有する材料からなる外装体１６とを備え、収納体１２に第２気化薬剤１３が充填されるとともに、外装体１６はこの収納体１２をその外面側から囲繞している。なお、収納体１２はカップ状体とされている。
【００１１】
図示の例では、第２気化薬剤１３は粒状物とされている。また、収納体１２の開口部１２ａには、その開口周縁から面方向外方に延びる縁面１２ｂが設けられている。さらに、容器本体１１は、上端開口部を有する収納部１１ａと、収納部１１ａの上端開口部を閉塞する蓋部１１ｂとを備えている。なお、収納部１１ａと蓋部１１ｂとは、収納部１１ａの上端開口部に蓋部１１ｂを嵌めた状態で接合されている。これら１１ａ、１１ｂの接合は、アンダーカットによる嵌合や、超音波による溶着等、種々の方法を採用することができる。また、蓋部１１ｂの上面には、クローゼット等のハンガーロッドに引っ掛けられるフック１１ｄがこの蓋部１１ｂと一体的に形成されて設けられている。
【００１２】
さらに、この収納体１２には、その開口部１２ａを覆うように微多孔性シール１４が設けられるとともに、この微多孔性シール１４の表面にその全域を覆うように帯状の密封シール１５が取り外し可能に貼着されている。例えば、微多孔性シール１４は通気性および防水性の双方を有する材質で形成され、また、密封シール１５はアルミニウム箔や積層フィルム等のガスバリア機能を有する材質で形成されている。
【００１３】
本実施形態では、微多孔性シール１４は、収納体１２の開口部１２ａ全域を覆うように前記縁面１２ｂに貼着されている。また、密封シール１５は、その一端部１５ａ側が微多孔性シール１４の表面に貼着された状態で、他端部１５ｂ側が上方に一端部１５ａ側に向けて折返されて、この他端部１５ｂが容器本体１１の外部に突出している。
なお、図示の例では、密封シール１５の他端部１５ｂは、この密封シール１５における他の部分と比べて幅が狭くなっている。また、この密封シール１５の他端部１５ｂは、図２に示されるように、容器本体１１の蓋部１１ｂに形成された側方開口部１１ｃからこの容器本体１１の外方に向けて突出している。
【００１４】
さらに本実施形態では、前述した外装体１６は、前記第１気化薬剤を含浸させた例えば紙等からなる含浸シートとされている。図示の例では、外装体１６はコ字状に折り曲げられ、収納体１２の一側面を除く外側面のほぼ全域を囲繞している。
ここで、収納体１２の外側面には、前記開口部１２ａが開口する方向に延びる凸リブ１２ｃが複数延設されるとともに、収納部１１ａの内側面にも、この収納部１１ａの上端開口部が開口する方向に延びる凸リブ１１ｇが複数延設されている。これらの凸リブ１２ｃ、１１ｇにより、外装体１６の表裏面と収納体１２の外側面および収納部１１ａの内側面との密着を防止してこれらの間の通気性を確保し、外装体１６中の第１気化薬剤の気化効率を維持できるようになっている。
さらに、図示の例では、収納部１１ａの一側面に確認窓１１ｆが形成されており、収納体１２が透明の材料で形成された場合に、この確認窓１１ｆを通して、収納体１２内に充填された第２気化薬剤１３の残存量を視認できるようになっている。
【００１５】
なお、前記各気化薬剤は、全てが同種にならないように、例えば防虫剤、消臭剤、芳香剤および抗菌剤等から適宜選ばれる。例えば、第２気化薬剤１３として消臭剤を採用し、外装体１６中の第１気化薬剤として防虫剤を採用することができる。また、収納体１２は、例えばポリエチレン等の樹脂材料からなるシート材をサーモフォーム成形したり、あるいはこの樹脂材料を用いてインジェクション成形することによって形成することができる。
【００１６】
以上説明したように本実施形態に係る容器１０によれば、容器本体１１内に前記収納容器が収納されているので、外装体１６に含浸させる前記第１気化薬剤の種類、および収納体１２内に充填する第２気化薬剤１３の種類の少なくとも一方を異ならせることにより、この容器本体１１内に収納する複数種の気化薬剤の組合わせを異ならせることが可能になる。したがって、同一の容器本体１１内における複数種の気化薬剤の組合わせの自由度を高めて、一種類の気化薬剤では発揮し得ない優れた効能のバリエーションを容易に増やすことができる。
【００１７】
また、本実施形態では、密封シール１５が、その一端部１５ａ側が微多孔性シール１４の表面に貼着された状態で、他端部１５ｂ側が一端部１５ａ側に向けて折返されて、この他端部１５ｂが容器本体１１の外部に突出して容器本体１１内に収納されているので、収納体１２内の第２気化薬剤１３を気化させ始めるのに、密封シール１５の他端部１５ｂを容器本体１１の外部に向けて引張することにより、微多孔性シール１４の表面から一端部１５ａ側を剥がしながら、この密封シール１５を容器本体１１から引き出して取り外すことが可能になる。
すなわち、容器本体１１を開けないで閉じた状態で、密封シール１５を微多孔性シール１４の表面から剥がして、収納体１２内の第２気化薬剤１３を気化させ始めることが可能になり、この容器１０の取り扱い性を向上させることができる。
【００１８】
なお、本発明の技術的範囲は前記実施の形態に限定されるものではなく、本発明の趣旨を逸脱しない範囲において種々の変更を加えることが可能である。
例えば、前記実施形態では  収納体１２内に充填した第２気化薬剤１３として、粒状物を示したが、これに代えて、例えばゲル状物や液状物等を採用してもよい。
さらに、前述した各気化薬剤が気化し尽くしたか否かを表示するインジケータを例えば微多孔性シール１４等に適宜取り付けてもよい。この場合、容器本体１１において前記インジケータと対向する部分に表示窓としての貫通孔を形成するのが好ましい。
【００１９】
また、第１気化薬剤を表面から揮発または昇華可能に構成された収納容器として、実質的に気化薬剤を含有しない材料で形成された収納体１２と外装体１６とを備える構成を示したが、これに代えて、例えば、気化薬剤を含有する材料で全体が一体的に形成された収納体と外装体１６とを採用してもよい。この場合、３種類の気化薬剤を有する収納容器が得られることになる。さらに外装体１６として、収納体１２の外面に、第１気化薬剤を含有するシールを貼着してもよいし、収納体１２を第１気化薬剤を含有する材料からなるカップ体内に嵌合してもよい。
【００２０】
さらに、前述した各実施形態で示した前記収納容器に代えて、例えば図３および図４に示すように、前記第１気化薬剤を含有する材料で形成された単層構造のカップ状の収納容器２９や、第１気化薬剤を含有する層を少なくとも１層備えた多層構造のカップ状の収納容器２９を採用してもよい。そして、この収納容器２９の内部に第２気化薬剤１３を充填してもよい。
この場合、前記組合わせの自由度を一層高めることが可能になるばかりでなく、この容器全体のコンパクト化も図ることができる。
【００２１】
また、前記実施形態の容器本体１１に代えて、図３および図４に示されるような、第１容器体２３と第２容器体２５とがヒンジ部２２を介して連結されて、両容器体２３、２５がヒンジ部２２回りに回動することによりこの容器本体２１の内部が開閉可能となる構成を採用してもよい。また、この容器本体２１では、第１容器体２３に側方開口部２４を形成して、密封シール１５の他端部１５ｂを、図４に示されるように、この側方開口部２４から容器本体２１の外方に突出させてもよい。また、第２容器体２５において、収納容器２９等が収納される開口部の開口面に沿った方向で、ヒンジ部２２と対向する上面にフック２６を立設してもよい。さらに、微多孔性シール２７にインジケータ２８を貼り付け、第１容器体２３においてインジケータ２８と対向する部分に表示窓としての貫通孔２３ａを形成してもよい。
【００２２】
さらに、前述した各気化薬剤は、前記実施形態で示したものに限らず、気化することによって所定の効能を発揮するものであれば、その種類は限定されるものではない。また、外装体１６、および収納体１２をそれぞれ形成する材質は、前述したものに限られるものではない。また、収納体１２若しくは収納容器２９と、１つ、若しくは複数の外装体１６とを設けることなどによって、３種類以上の気化薬剤が収納された容器を構成してもよい。さらに、収納容器２９として同一の気化薬剤を複数層に含有させた多層構造を採用してもよい。
【産業上の利用可能性】
【００２３】
同一の容器本体内における複数種の気化薬剤の組合わせの自由度を高めて、一種類の気化薬剤では発揮し得ない優れた効能のバリエーションを容易に増やすことができる。
【図面の簡単な説明】
【００２４】
【図１】本発明に係る一実施形態として示した容器の展開斜視図である。
【図２】本発明に係る一実施形態として示した容器の斜視図である。
【図３】本発明に係る他の実施形態として示した容器の展開斜視図である。
【図４】本発明に係る他の実施形態として示した容器の斜視図である。
【符号の説明】
【００２５】
１０  容器
１１、２１  容器本体
１２  収納体
１２ａ  開口部
１３  第２気化薬剤
１４、２７  微多孔性シール
１５  密封シール
１５ａ  密封シールの一端部
１５ｂ  密封シールの他端部
１６  外装体
２９  収納容器
【図１】
2008030846.tif 000003
【図２】
2008030846.tif 000004
【図３】
2008030846.tif 000005
【図４】
2008030846.tif 000006